(57)【特許請求の範囲】
【請求項１】
スイッチキャビネットのためのフレームラックであって、
（ａ）  フレームラックを構成するフレーム部材（10）が断面対角線（11）に対し鏡像状に形成されかつフレームラックの該当外側面に対し垂直に向けられた２つの成形部材（15,17）を有していること、
（ｂ）  前記成形部材（15,17）が固定部材を受容する固定受容部（19,20）を備えかつ結合区分（12）を介して互いに結合されていること、
（ｃ）  前記結合区分（12）がフレームラックの傾斜した外縁受容部をライニングエレメントのために形成していること、
（ｄ）  前記成形部材（15,17）が前記結合区分（12）とは反対側に、組立レールを受容するために、該当成形部材（15,17）に対し垂直に延在し、固定部材を受容する固定受容部（23,24）を備えた受容区分（21,22）を有していること、
（ｅ）  前記受容区分（21,22）が前記成形部材（15,17）とは反対側に、前記受容区分（21,22）に接続しかつ前記結合区分（12）に向かって曲げ込まれた端部区分（25,26）で、前記断面対角線（11）に対し対称的な燕尾状溝（27,27′）を形成していること、
以上（ａ）、（ｂ）、（ｃ）、（ｄ）、（ｅ）の特徴を組合わせたことを特徴とする、スイッチキャビネットのためのフレームラック。
【請求項２】
前記成形部材（15,17）と前記結合区分（12）との間の接続部が２層のシールウエブ（13,16）として、前記結合区分（12）に対し135゜の角度を成すウエブ区分（14,18）と前記成形部材（15,17）の１部とが丸味の付けられた接続部を介して互いに結合されて形成されている、請求項１記載のフレームラック。
【請求項３】
前記成形部材（15,17）と前記結合区分（12）との間の接続部が、フレームラックの該当外側面に対し平行に延びる衝止区分（28,29）を備えたＵ字形の衝止ウエブ（13′,16′）として構成されており、該Ｕ字形の衝止ウエブ（13′,16′）が前記結合区分（12）に対し135゜の角度を成すウエブ区分（14,18）と前記成形部材（15,17）の１部とが、フレームラックの該当外側面に対して平行に延びる前記衝止区分（28,29）を介して互いに結合されて形成されている、請求項１記載のフレームラック。
【請求項４】
前記受容区分（21,22）に接続しかつ該受容区分（21,22）に対し鈍角を成して、前記結合区分（12）に向かって１回折り曲げられた前記端部区分（25,26）によって横断面の開いた燕尾状溝（27）が形成されている、請求項１から３までのいずれか１項記載のフレームラック。
【請求項５】
前記端部区分（25,30;26,31）が、前記受容区分（21,22）に鈍角を成して接続しかつ前記結合区分（12）に向かって折り曲げられた第１の部分端部区分（25,26）と、互いに向き合ってかつ前記結合区分（12）に対し平行に延びるように前記第１の部分端部区分（25,26）から折り曲げられた第２の部分端部区分（30,31）とが形成されるように２回折り曲げられて、横断面の閉じた燕尾状溝（27′）が形成されている、請求項１から３までのいずれか１項記載のフレームラック。
【請求項６】
２回折り曲げられた前記端部区分（25,30;36,31）の前記第２の部分端部区分（30,31）が前記結合区分（12）の内側に接触しかつ該結合区分（12）に結合されている、請求項５記載のフレームラック。
【請求項７】
前記断面対角線（11）に対して対称的に配置されかつ外方へ曲げられた２つの補強波形部（32,33）によって前記結合区分（12）が補強され、該補強波形部（32,33）がそれぞれ、前記結合区分（12）に接続しかつフレームラックの該当外側面に対して平行な第１の部分結合区分と、該第１の部分結合区分（34,36）から折り曲げられかつ該当成形部材（15,17）に対して平行に延びる第２の部分結合区分（35,37）とを有している、請求項６記載のフレームラック。
【請求項８】
前記成形部材（15,17）の固定受容部（19,20）及び／又は前記受容区分（21,22）の固定受容部（23,24）が互いに等間隔をおいて配置された多数の固定受容部である、請求項１から７までのいずれか１項記載のフレームラック。
【請求項９】
前記成形部材（15,17）が前記結合区分（12）へ直接的に移行している、請求項１記載のフレームラック。
【発明の詳細な説明】
本発明は、スイッチキャビネットのためのフレーム部材からなるフレームラックであって、フレーム部材が好ましくはそれらの断面対角線に対して鏡像状に形成されていて、フレームラックの外側に対して直角を成し、かつ固定凹部を備えた成形部材を有しており、該成形部材が内側の範囲で組立レールを固定するための受容部を形成する区分に移行している形式のものに関する。
この種類のフレームラックはドイツ連邦共和国特許公開公報第4336204号明細書により公知である。このフレームラックでは受容部は、フレームラックの成形部材に対して直角を成し、かつ断面がほぼ正方形の組立レールのための受容部を形成しているフレーム部材区分によって限定されている。
スイッチキャビネットのフレームラックのためのフレーム部材は、たとえばドイツ連邦共和国特許公開公報第4036664号、ドイツ連邦共和国特許公開公報第4132803号、ドイツ連邦共和国実用新案第8107658号およびドイツ連邦共和国実用新案第8703695号の各明細書も開示しているように、種々異なった断面形状のものが公知である。
ドイツ連邦共和国特許公開公報第4036664号明細書およびドイツ連邦共和国実用新案第8107658号明細書に記載されたフレーム部材は、フレームラックを形成している区分の外側にシールエレメントのための保持溝を有している。
ドイツ連邦共和国特許公開公報第4132803号明細書およびドイツ連邦共和国実用新案第8703695号明細書により、フレームラックの外側を形成する区分に結合区分が135゜の角度を成して接続し、これらの結合区分が成形部材に対して直角を成す成形区分を介して成形部材と結合されていることが公知である。
ドイツ連邦共和国実用新案第8107658号明細書およびドイツ連邦共和国実用新案第8703695号明細書にはそれぞれ、かつ外側を形成する成形部材に対して直角を成している種々の平行な成形区分が記載されており、これらの成形区分はフレームラックの内側に向けられていて固定凹部を備えている。
フレーム部材から組み立てられる上記フレームラックはすべて、多かれ少なかれスイッチキャビネットに課せられた要求を十分満たしている。たとえば、ある場合にはライニングエレメントをフレームラックに密に取り付ける点で改善され、別の場合にはフレームラックの内側に固定する可能性が利用されて簡単にされる。外縁部を斜めにすることにより、ライニングエレメントの折り曲げた縁の受容部、およびヒンジエレメントや閉鎖エレメントのためのスペースが得られる。
本発明の課題は、縁を折り曲げたライニングエレメントを密に取り付ける点や、ライニングエレメントの縁を折り曲げたりヒンジエレメントや閉鎖エレメントを取り付けたりするための十分大きい外縁受容部を提供する点や、さらにフレームラックの内側の範囲で自在に固定できる点に関してスイッチキャビネットに課せられた要求を、簡単に製造可能なフレーム部材によって最適な仕方で解決する、冒頭で述べた形式のフレームラックを提供することである。
この課題を解決するために本発明では、以下の特徴を組み合わせた。
ａ）フレーム部材の成形部材が結合区分を介して互いに結合されており、該結合区分がフレームラックの傾斜した外縁部を形成しており、
ｂ）前記結合区分とフレーム部材の成形部材との間の移行部が、フレームラックの外側に対して直角に向けられた２層のシールウェブとして形成されているか、または付属する外側に対して平行に延びた衝止区分を有するＵ字形の衝止ウェブとして形成されており、しかもシールウェブおよび衝止ウェブの長さがゼロであってもよく、
ｃ）前記成形部材が結合区分とは反対側の縁部で、固定凹部を備えた受容区分に移行しており、該受容区分が付属する成形部材に対して直角を成し、かつ結合区分に向かって折り曲げられており、
ｄ）前記受容区分が成形部材とは反対側で端部区分に移行しており、該端部区分が好ましくは断面対角線に対して対称的な開いた、または閉じた燕尾状溝を形成している。
このように形成され位置調整されたフレームラックのフレーム部材は、従来と同様に軽く、十分な安定性、特にねじり剛性を持たせて製造可能である。この場合、鍛造曲げ材または射出成形材として製造することが提案される。
フレームラックの開いた側で密封が達成されるように、シールウェブはライニングエレメントに設けられたシールエレメントと協働できる。衝止ウェブが形成されていると、これらの衝止ウェブがシールエレメントを備えることもできる。結合区分によってフレームラックに外縁受容部が生じる。これらの外縁受容部はフレーム部材断面の断面対角線に対して対称的であることが好ましく、互いに突き合わせるライニングエレメントの縁を折り曲げるための十分なスペースを提供する。この場合、キャビネットドアのヒンジエレメントおよび閉鎖エレメントを収容するスペースも十分存在する。フレームラックの内側の燕尾状溝として延びている受容部が、組立レールなどを固定する優れた可能性を提供する。この場合、最も単純な例では一種の掛止が選択され得る。受容区分のほかに、フレーム部材の成形部材も固定面として利用でき、それによって複数の方向で固定する可能性が提供される。
本発明の構成によると、シーリングのために次のようにされている。すなわち、２層のシールウェブが、結合区分に対して135゜の角度を成しているウェブ区分と、成形部材の一部とによって形成されており、前記ウェブ区分と成形部材の一部とが丸くされた移行部を介して互いに結合されているか、または衝止ウェブが、結合区分に対して135゜の角度を成すウェブ区分と、成形部材の一部とによって形成されており、前記ウェブ区分と成形部材の一部とがフレームラックの外側に対して平行に延びる衝止区分を介して互いに結合されている。
フレーム部材の組立レールのための受容部は、次のように補完されている。開いた燕尾状溝が１重の端部区分によって形成されており、これらの端部区分が受容区分に鈍角を成して接続し、付属する成形部材に向かって折り曲げられているか、または閉じた燕尾状溝が２重に折り曲げた端部区分によって形成されており、第１の部分区分が受容区分に鈍角を成して接続し、付属する成形部材に向かって折り曲げられていて、第２の部分区分が互いに向き合い、かつ結合区分に対して平行に位置調整されている。
閉じた燕尾状溝においてはさらに、フレーム部材の、したがって、フレームラックのねじり剛性を高めるために、２重に折り曲げた端部区分の第２の部分区分が結合区分の内側に接していて、好ましくはこれと結合、たとえば接着、溶接または点接されている。
本発明の別の構成によりフレームラックの安定性、特にフレームラックのねじり剛性は、次のようにすることによってさらに改善される。すなわち、結合区分が外方に曲げられた２つの補強波形によって補強されており、これらの補強波形が好ましくは断面対角線に対して対称的に配置されていて、それぞれ１つの、好ましくは対向するフレームラックの外側に対して平行な第１の区分と、好ましくは対向する成形部材に対して平行な第２の区分とを有している。
フレームラック内側の範囲で自在に固定する可能性は、成形部材および／または受容区分が相当数の固定凹部を（場合によってはシステムグリッドで）備えていることによって達成される。
以下に、本発明の実施例を断面図で示されたスイッチキャビネットのフレームラックのためのフレーム部材に基づき詳しく説明する。図１は、２つのシールウェブと開いた燕尾状溝を備えた１つの受容部とを有するフレーム部材を示しており、図２は、２つの衝止ウェブと開いた燕尾状溝を備えた１つの受容部とを有するフレーム部材を示しており、図３は、２つのシールウェブと閉じた燕尾状溝を備えた１つの受容部とを有するフレーム部材を示しており、図４は、２つの衝止ウェブと閉じた燕尾状溝を備えた１つの受容部とを有するフレーム部材を示しており、図５は、付加的に補強された結合区分を有する図３によるフレーム部材を示しており、図６は、付加的に補強された結合区分を有する図４によるフレーム部材を示している。
すべての実施例に共通しているのは、フレーム部材10が好ましくは断面対角線11に対して鏡像状に形成されているので、フレームラックのどんなフレーム部材にも使用可能なことである。フレームラックの位置調整は常に、フレーム部材10は外縁部を形成しないが、外縁部に向かって結合区分12と共に外縁受容部を形成し、この外縁受容部内にライニングエレメントおよびキャビネットドアの折り曲げた縁が突入するようになっている。さらに、結合区分12には、ヒンジエレメントおよび閉鎖エレメントが固定され得る。
図１による実施例では、結合区分12はシールウェブ13および16を介して成形部材15および17に移行している。成形部材15および17は相当数の固定凹部19および20を備えていてよい。成形部材15および17は、対向するフレームラックの外側に対して直角に位置調整されている。シールウェブ13および16は、長さがゼロであってもよいウェブ区分14および18と、成形部材15および17の一部とによって２層に形成されている。この場合、ウェブ区分14および18も対向するフレームラックの外側に対して直角を成している。ウェブ区分14および18は丸くされて成形部材15および17に移行している。ライニングエレメントがシールエレメントを備えていると、フレーム部材10から突き出しているシールウェブ13および16はこれらのシールエレメントと共に、フレーム部材10とライニングエレメントとの間に明確なシーリングを形成する。
成形部材15および17は、２つの方向で固定面を形成している。シールウェブ13および16とは反対側の成形部材15および17の縁部が受容区分21および22に移行しており、これらの受容区分21および22も同様に固定凹部23および24を備えていて、組立レールが固定され得る受容部を形成している。これらの受容区分21および22は成形部材15および17に対して直角を成し、結合区分12に向かって折り曲げられている。受容区分21および22には、１重に折り曲げた端部区分25および26が接続している。端部区分25および26は受容区分21および22に対して鈍角を成して燕尾状溝27を限定している。燕尾状溝27内では組立レールも簡単に固定され得る。
図２による実施例に示したように、結合区分12から成形部材15および17への移行部に衝止ウェブ13′および16′が形成されていてもよい。これらの衝止ウェブ13′および16′は、同様に長さがゼロであってよいウェブ区分14および18と、衝止区分28および29と、成形部材15および17の一部とから形成されている。衝止区分28および29は対向するフレームラックの外側に対して平行に延びており、シールエレメントを備えていてよい。フレーム部材10のそれ以外の構造は、図１によるフレーム部材と異ならない。
図３および図４による実施例に示したように、受容区分21および22には、２重に折り曲げた端部区分25、30および26、31が接続して、燕尾状溝27′を限定してもよい。第１の部分区分は再び受容区分21および22に対して鈍角を成しており、第２の部分区分は結合区分12に対して平行を成していて、結合区分12の内側に接していて、これと結合、たとえば接着、溶接または点接されている。
図５および図６による実施例に示したように、フレーム部材10のねじり剛性は結合区分12の追加補強によって高められ得る。結合区分12が断面対角線11に対して対称的に、外方に曲げられた２つの補強波形32および33によって補強されることが好ましい。これらの補強波形32および33は、それぞれ１つの、好ましくは対向するフレームラックの外側に対して平行に延びる区分34および36と、好ましくは対向する成形部材15および17に対して平行に向けられた区分35および37とを有している。この場合、湾曲は、シールウェブ13および16もしくは衝止ウェブ13′および16′の機能が損なわれないようになっている。
【図１】
0003616645.tif 000002
【図２】
0003616645.tif 000003
【図３】
0003616645.tif 000004
【図４】
0003616645.tif 000005
【図５】
0003616645.tif 000006
【図６】
0003616645.tif 000007